(57)【特許請求の範囲】
【請求項１】
食品などの収納物が収納される容器本体と、これに嵌合される蓋体とからなる包装用容器において、
前記蓋体を構成している天板に、この天板の略中心に向かいながら互いに対向し合い、かつこの天板の上面に向けて傾斜する傾斜面を有した複数の傾斜突起を形成するとともに、
前記容器本体の底部に、前記傾斜突起に対応する係合凹所を形成し、
さらに、前記蓋体側の各傾斜突起が形成してある外側部分に、他の包装用容器を構成している前記容器本体の底部の一部を支承する支承突起を形成し、この支承突起の内側面を垂直面としたことを特徴とする包装用容器。
【発明の詳細な説明】
【０００１】
【発明の属する技術分野】
本発明は、容器本体とこれに嵌合される蓋体とからなる包装用容器に関し、特に、複数のものを積み重ねたときに安定させることができる包装用容器に関するものである。
【０００２】
【従来の技術】
容器本体とこれに嵌合される蓋体とからなる包装用容器については、近年各種のものが提案されてきており、コンビニエンスストアで販売されるお弁当や、各種店舗で販売される惣菜や漬け物等の食品を収納するものとして重宝されているものである。勿論、容器本体や蓋体そのものは、合成樹脂シートを真空または圧空成形によって、衛生的で安価にかつ大量に生産されるものであるから、使い捨ての容器として、近年の生活には欠かせないものとなってきている。
【０００３】
このような包装用容器としては、例えば、特開平１０−１２９７０１号公報において提案されているような「包装用容器」がある。この容器は、図１２及び当該公報の段落２１に記載されているように、「容器本体１の底部３の凹段部３ａと蓋体２の頂部１０に設けた凸段部１０ａが重合可能に形成してあるため、閉蓋した容器同士を位置決めして多段に重ね合わせておくことができる」ものであるが、底部３の凹段部３ａや蓋体２の凸段部１０ａが平坦面となっているため、完全な位置合わせを行わないと非常に不安定なものとなる可能性が高い。何故なら、重合可能といっても、図１２に示すような広い面積を有し同じ程度の大きさの凹段部３ａや凸段部１０ａであると、その位置決めがしにくく、重合作業そのものも非常に困難になると考えられるからである。
【０００４】
特に、内容物を入れたこの種の包装用容器を、棚や冷蔵庫内に陳列する場合、できれば上下方向に安定的に積み重ねられるようにしておきたい。そうすれば、大量商品の陳列を可能にして、販売促進に役立つからであるが、図１２に示した従来例のものでは、上述したとおり、広い面積を有し同じ程度の大きさの凹段部３ａや凸段部１０ａを利用して積み重ねを行うことになるから、凹段部３ａに凸段部１０ａが嵌り込まない限り、不安定な積み重ねにならざるを得ないと考えられる。そうであると、傾斜を有する陳列台であればより一層安定させることができず、陳列そのものができなくなると考えられる。
【０００５】
さらに、この種の包装用容器では、その外周に、内容物の種類や量、あるいは製造者名等を表示した帯ラベルを、図１等に示すように巻き付けることがなされることがある。このような別途印刷した帯ラベルを使用することによって、この種の包装用容器はあらゆる種類の食品等の汎用容器として使用されることがあるのであり、帯ラベルの巻き付けあるいは取り付けについても考慮しておかなければならないものである。その理由は、この種の帯ラベルは、人手や機械によって大量の包装用容器に巻き付けられるのであるが、その巻き付け位置が明確化されていないと、その作業を効率よく行うことができないだけでなく、もし帯ラベルがズレたとすると、見栄えの良くない商品となってしまうからである。
【０００６】
この帯ラベルについて言えば、図１２に示したような蓋体であると、仮に凸段部１０ａがあったとしても、これが比較的広い面積を有しかつ低いものであれば、この凸段部１０ａ自体が見にくく、検知しにくいものとなっている。従って、人の手によるにしろ、機械的に行うにしろ、帯ラベル巻き付けの目標地点の決定が困難となっているだけでなく、当該容器の周囲に巻き付けたとしても簡単にはずれてしまうとも考えられるのである。
【０００７】
そこで、本発明者は、この種の包装用容器について、積み重ねを安定的に行え、しかも帯ラベルの巻き付けを簡単に行えるようにするにはどうしたらよいか、について種々検討を重ねてきた結果、本発明を完成したのである。
【０００８】
【発明が解決しようとする課題】
本発明は、以上の経緯に基づいてなされたもので、その解決しようとする課題は、積み重ねをも安定的に行え、しかも帯ラベルの巻き付けを簡単に行えるようにすることである。
【０００９】
【課題を解決するための手段】
上記課題を解決するために、本発明の採った手段は、後述する実施の形態の説明中に置いて使用する符号を付して説明すると、
「食品などの収納物が収納される容器本体１０と、これに嵌合される蓋体２０とからなる包装用容器１００において、
蓋体２０を構成している天板２１に、この天板２１の略中心に向かいながら互いに対向し合い、かつこの天板２１の上面に向けて傾斜する傾斜面２３ａを有した複数の傾斜突起２３を形成するとともに、
容器本体１０の底部１１に、傾斜突起２３に対応する係合凹所１３を形成し、
さらに、蓋体２０側の各傾斜突起２３が形成してある外側部分に、他の包装用容器１００を構成している容器本体１０の底部１１の一部を支承する支承突起２４を形成し、この支承突起２４の内側面を垂直面２４ａとしたことを特徴とする包装用容器１００」
である。
【００１０】
すなわち、本発明に係る包装用容器１００は、まず、図１及び図２に示すように、蓋体２０の天板２１の隅部に、傾斜面２３ａを有する傾斜突起２３を互いに対向し合うように複数形成したものであり、まず、これらの傾斜突起２３によって、図１中の仮想線にて示すように、帯ラベル３０の巻き付け位置を明確にしたものである。
【００１１】
つまり、容器本体１０側の底部１１には、図９及び図１０に示すように、上記各傾斜突起２３のための係合凹所１３が形成してあるから、複数の包装用容器１００を積み重ねたときに、下側の包装用容器１００における傾斜突起２３が、上側となる包装用容器１００の係合凹所１３内に嵌合されることになる。この場合、上記したように、蓋体２０に形成した各傾斜突起２３が、天板２１の隅部において文字通り突起となっているため、積み重ね時の位置決めを簡単に行えるのである。
【００１２】
また、この複数の包装用容器１００の積み重ね時において、各傾斜突起２３に形成した傾斜面２３ａが、上側となる包装用容器１００における容器本体１０の底部の案内をすることになるから、その積み重ねの安定状態を簡単に作り出せるだけでなく、その安定状態の維持をも図ることができるのである。
【００１３】
換言すれば、容器本体１０側の底部１１が少し傾斜状態で、下側の包装用容器１００の蓋体２０上に載置されたとしても、持ち上がった状態の容器本体１０側底部１１部分が、各傾斜突起２３の傾斜面２３ａ上を滑り落ちて、結果的に下側の蓋体２０に対して、上側の容器本体１０が並行状態で載置されることになるのである。
【００１４】
勿論、各傾斜突起２３は、図２及び図５に示すように、その傾斜面２３ａが天板２１の略中央に向かうような天板２１上の突出物として形成してあるため、仮にこの蓋体２０が透明もしくは半透明材料によって形成してあっても、帯ラベル３０の巻き付け位置が図１に示すように明確に視認できるものとなっているのである。そして、これらの傾斜突起２３が文字通り突起となっているため、これを機械的に検出することも容易となっており、機械的な帯ラベルの巻き付けを確実に行えるものとなっているのである。
【００１５】
従って、この包装用容器１００は、まず、各傾斜突起２３の傾斜面２３ａによって他の包装用容器１００側の容器本体１０の案内がなされ、各傾斜突起２３によって帯ラベル３０の巻き付け位置が明確化されるのであり、その結果、積み重ねを安定的に行えるだけでなく、帯ラベルの巻き付けをも簡単に行うことができるものとなっているのである。
【００１６】
また、本発明に係る包装用容器１００については、
「蓋体２０側の各傾斜突起２３が形成してある外側部分に、他の包装用容器１００を構成している容器本体１０の底部１１の一部を支承する支承突起２４を形成し、この支承突起２４の内側面を垂直面２４ａとした」
ものであった。
【００１７】
すなわち、この包装用容器１００は、各傾斜突起２３が形成してある外側部分にさらに支承突起２４を形成したものであり、この支承突起２４は、他の包装用容器１００を構成している容器本体１０の底部１１の一部を支承するものであるが、その支承を効果的に行えるようにするための垂直面２４ａを、各支承突起２４の内面側（天板２１の中央側）に形成したものである。
【００１８】
支承突起２４の内側面に形成した垂直面２４ａは、容器本体１０側の底部１１の一部分を案内するものであり、一つの包装用容器１００の上側に載置された他の包装用容器１００を、図１１に示すように、下側の包装用容器１００と平行となるように案内するものである。また、支承突起２４そのものは、上側の包装用容器１００を支えることになるものであり、傾斜突起２３が小さなものであっても、これを潰さないようにするものである。
【００１９】
従って、この包装用容器１００は、上記の機能を発揮する他、上側の包装用容器１００の案内を確実に行って、下側の包装用容器１００に対する載置をより一層安定した状態で載置し得るものとなっているのである。
【００２０】
以上の結果、本発明に係る包装用容器１００によれば、次のようなことが言える。
【００２１】
（１）容器本体１０には、その底部１１に係合凹所１３や係入部１４が形成してあるから、これらの部分によって剛性が高くなっている。
（２）蓋体２０についても、その天板２１に傾斜突起２３や支承突起２４が形成してあるから、これらの部分によって剛性が高くなっている。
（３）容器本体１０に形成した係入部１４は、凹凸のあるものであるから、これによって内容物の容器本体１０内におけるズレが防止される。
（４）当該包装用容器１００を複数積み重ねたとき、上側の容器本体１０が傾きかけても、下側の蓋体２０に設けた支承突起２４に設けた垂直面２４ａで支えられるし、上側の容器本体１０が左右にズレようとしても各傾斜突起２３で支えられるから、各包装用容器１００は互いに固定されることになる。このため、包装用容器１００は５段程度まで積み重ねることが可能であるだけでなく、その状態での運搬をも安定した状態で行うことができる。
（５）実施形態では、各支承突起２４の高さを嵌合フランジ２２より高くしたので、巻き付けられた帯ラベル３０が外れない。
（６）上記（４）で述べたように、各支承突起２４に形成した垂直面２４ａによって各容器本体１０を支えることになるので、陳列台が傾斜した場合であっても、各包装用容器１００の積み重ねを安定した状態で行うことができる。なお、各垂直面２４ａは、少し傾斜するものであっても、上記と同等の機能を発揮するものである。
【００２２】
【発明の実施の形態】
次に、以上のように構成した本発明を、図面に示した実施の形態である包装用容器１００について説明する。
【００２３】
さて、図１には、本発明に係る包装用容器１００の平面図が示してあり、この包装用容器１００は、食品などの収納物が収納される容器本体１０と、これに嵌合される蓋体２０とからなるものである。これらの容器本体１０及び蓋体２０は、透明または半透明の合成樹脂シートを真空または圧空成型することにより形成したものであり、その平面形状は、図１等に示した略正方形形状の他に、長方形状や小判型等種々なものになされるものである。
【００２４】
そして、容器本体１０の上方開口の周縁全周には、図９に示したような環状の嵌合フランジ１２が形成してあり、この嵌合フランジ１２に嵌合されるべき嵌合フランジ２２が、図１、図２及び図４に示したように、蓋体２０側に形成してある。要するに、この包装用容器１００においては、その容器本体１０側の嵌合フランジ１２に蓋体２０側の嵌合フランジ２２を強制的に嵌合することにより、内容物を密閉状態にするものである。
【００２５】
また、この包装用容器１００においては、図１及び図２に示したように、略正方形状に形成した蓋体２０の天板２１の各隅部に、この天板２１の略中心に向かいながら互いに対向し合い、嵌合フランジ２２より高くて、かつ天板２１上面に向けて傾斜する傾斜面２３ａを有した複数の傾斜突起２３が形成してある。つまり、各傾斜突起２３は、図１、図２、図５及び図６に示したように、略三角形状にしたものであり、その斜辺が傾斜面２３ａとなるようにしたものである。また、各傾斜突起２３は、これを真空または圧空成形する際に、天板２１を部分的に図示上方に膨出させることにより形成したものであり、本実施形態では、その直ぐ外側に支承突起２４をも一体成形したものである。
【００２６】
このように、各傾斜突起２３には容器本体１０の底部１１の一部が嵌合されることになるものであるから、図９に示したように、この傾斜突起２３に対応する係合凹所１３を容器本体１０側の底部１１に形成したものである。
【００２７】
なお、本実施形態の包装用容器１００では、略正方形の容器本体１０及び蓋体２０の４つの隅部のそれぞれに、係合凹所１３及び傾斜突起２３を形成したものであるが、各係合凹所１３及び傾斜突起２３は、互いに対向する部分であれば、図７に示したように２個所であってもよいものである。
【００２８】
さらに、前述した支承突起２４は、図１及び図２に示したように、傾斜突起２３がその内側中心にくるようにして一体成形したものであるが、傾斜突起２３の両側に位置する垂直面２４ａと、傾斜突起２３の少し外側となる載置面２４ｂとを有したものである。つまり、本発明に係る包装用容器１００においては、図１及び図２に示したように、蓋体２０側の各傾斜突起２３が形成してある外側部分に、他の包装用容器１００を構成している容器本体１０の底部１１の一部を支承する支承突起２４が形成してあり、この支承突起２４の内側面を垂直面２４ａとしてある。
【００２９】
なお、これらの支承突起２４は、図１及び図２に示したように、各傾斜突起２３と同一位置に形成して実施してもよいが、図８に示したように、それぞれ別の位置に形成して実施してもよいものである。
【００３０】
各垂直面２４ａは、別の包装用容器１００を構成している容器本体１０の底部１１の隅部を内方に案内する、つまり嵌り込みを確実に行えるようにするものであり、一方、載置面２４ｂは、嵌め込まれた容器本体１０の底部１１を部分的ではあっても隅部において蓋体２０側の天板２１と平行となるようにするものである。
【００３１】
このように、各支承突起２４の垂直面２４ａ上には容器本体１０の底部１１の一部が嵌合されることになるものであるから、図１０に示したように、この載置面２４ｂに対応する係入部１４が容器本体１０側の底部１１に形成してあることは、いうまでもない。
【００３２】
なお、この包装用容器１００を構成している蓋体２０についても、その複数を積み重ねて運搬あるいは保管することは当然であり、その時の密着、つまり「ブロッキング」を防止するために、図６に示したように、支承突起２４の一部を凹ませて形成したブロッキング防止部２５を備えているものである。
【００３３】
【発明の効果】
以上詳述した通り、本発明においては、上記実施の形態にて例示した如く、
「食品などの収納物が収納される容器本体１０と、これに嵌合される蓋体２０とからなる包装用容器１００において、
蓋体２０を構成している天板２１に、この天板２１の略中心に向かいながら互いに対向し合い、かつこの天板２１の上面に向けて傾斜する傾斜面２３ａを有した複数の傾斜突起２３を形成するとともに、
容器本体１０の底部１１に、傾斜突起２３に対応する係合凹所１３を形成し、
さらに、蓋体２０側の各傾斜突起２３が形成してある外側部分に、他の包装用容器１００を構成している容器本体１０の底部１１の一部を支承する支承突起２４を形成し、この支承突起２４の内側面を垂直面２４ａとした」
ことにその構成上の特徴があり、これにより、各傾斜突起２３の傾斜面２３ａによって他の包装用容器１００側の容器本体１０の案内がなされ、各傾斜突起２３によって帯ラベル３０の巻き付け位置が明確化されるのであり、積み重ねを安定的に行えるだけでなく、帯ラベルの巻き付けをも簡単に行える包装用容器１００を、簡単な構造によって提供することができるのである。
【００３４】
また、この包装用容器１００は、一つの包装用容器１００上に対する他の包装用容器１００の載置を、自動的でより一層の確実性をもって行うことができるのである。
【図面の簡単な説明】
【図１】本発明に係る包装用容器の平面図である。
【図２】同包装用容器を構成している蓋体の拡大斜視図である。
【図３】同蓋体の正面図である。
【図４】同蓋体の断面図である。
【図５】同蓋体の、図１中の１−１線に沿ってみた部分拡大断面図である。
【図６】複数の蓋体を積み重ねたときの部分拡大断面図である。
【図７】２個の傾斜突起及び支承突起を形成したときの蓋体の平面図である。
【図８】各傾斜突起と支承突起の位置を変更したときの蓋体の平面図である。
【図９】本発明に係る容器本体の平面図である。
【図１０】同容器本体の正面図である。
【図１１】本発明に係る複数の包装用容器を積み重ねたときの断面図である。
【図１２】従来の技術を示す分解斜視図である。
【符号の説明】
１００  包装用容器
１０  容器本体
１１  底部
１２  嵌合フランジ
１３  係合凹所
１４  係入部
２０  蓋体
２１  天板
２２  嵌合フランジ
２３  傾斜突起
２３ａ  傾斜面
２４  支承突起
２４ａ  垂直面
２４ｂ  載置面
２５  ブロッキング防止部
３０  帯ラベル
【図１】
0004099747.tif 000002
【図２】
0004099747.tif 000003
【図３】
0004099747.tif 000004
【図４】
0004099747.tif 000005
【図５】
0004099747.tif 000006
【図６】
0004099747.tif 000007
【図７】
0004099747.tif 000008
【図８】
0004099747.tif 000009
【図９】
0004099747.tif 000010
【図１０】
0004099747.tif 000011
【図１１】
0004099747.tif 000012
【図１２】
0004099747.tif 000013